(57)【要約】【課題】ＡＲＱ（Automatic Repeat reQuest）が適用されるサラウンドシステム等の無線音響システムにおいて、複数のスピーカーから再生出力される音響信号の同期ズレを防止すること。【解決手段】再送要求検出部１０８は、ＮＡＣＫ（Negative Acknowledgement）信号を検出した場合、ＮＡＣＫ信号に記された送信元ＭＡＣアドレスを解析し、どの音響機器用無線通信装置からのどのＩＰパケットに対する再送要求かを判断し、判断結果を記憶部１０３および蓄積時間設定部１０６に通知するとともに、蓄積時間設定部１０６に初回送信時より短い新たな蓄積時間を設定させる。記憶部１０３は、再送要求検出部１０８からの通知に従って、再送すべき音響信号をＩＰパケット化部１０５に入力する。蓄積時間設定部１０６は、再送要求検出部１０８からの指示に従って、新たな蓄積時間を設定し、この新たな蓄積時間を示す通知信号を生成してＩＰパケット化部１０５に入力する。【選択図】図１
2007235720.tif 000002
【特許請求の範囲】
【請求項１】
音響信号送信側の無線アクセス装置と、音響信号受信側の音響機器用無線通信装置と、を具備する無線音響システムであって、
前記無線アクセス装置は、  
音響信号の前記音響機器用無線通信装置における蓄積時間を設定するとともに、前記音響機器用無線通信装置からの再送要求を検出した場合に初回送信時より短い新たな蓄積時間を設定し、
蓄積時間を示す通知信号および音響信号を前記音響機器用無線通信装置へ送信し、
前記音響機器用無線通信装置は、
受信された音響信号の蓄積時間を前記通知信号に従って制御する、
無線音響システム。
【請求項２】
音響機器用無線通信装置により受信される音響信号を送信する無線アクセス装置であって、
音響信号の前記音響機器用無線通信装置における蓄積時間を設定する設定手段と、
前記音響機器用無線通信装置からの再送要求を検出した場合に、前記設定手段に初回送信時より短い新たな蓄積時間を設定させる再送要求検出手段と、  
蓄積時間を示す通知信号および音響信号を前記音響機器用無線通信装置へ送信する送信手段と、
を具備する無線アクセス装置。
【請求項３】
前記設定手段は、音響信号の初回送信時に設定した蓄積時間から、前記初回送信時から前記音響信号の再送時までの時間を引いた時間を前記新たな蓄積時間として設定する、
請求項２記載の無線アクセス装置。
【請求項４】
前記設定手段は、音響機器用無線通信装置の数が多くなるほど蓄積時間を長く設定する、
請求項２記載の無線アクセス装置。
【請求項５】
前記設定手段は、前記音響機器用無線通信装置との通信に要する時間に基づいて蓄積時間を設定する、
請求項２記載の無線アクセス装置。
【請求項６】
前記設定手段は、伝送路の品質に基づいて蓄積時間を設定する、
請求項２記載の無線アクセス装置。  
【請求項７】
前記設定手段は、伝送路の品質に基づいた蓄積時間を初期設定値とする、
請求項６記載の無線アクセス装置。  
【請求項８】
前記送信手段は、伝送路の品質がしきい値以上の音響機器用無線通信装置へは音響信号をマルチキャスト送信し、伝送路の品質が前記しきい値未満の音響機器用無線通信装置へは音響信号をユニキャスト送信する、
請求項２記載の無線アクセス装置。
【請求項９】
音響信号に誤り検出用信号を付加する付加手段、をさらに具備する、
請求項２記載の無線アクセス装置。
【請求項１０】
音響信号をインターリーブするインターリーブ手段、をさらに具備する、
請求項２記載の無線アクセス装置。
【請求項１１】
無線アクセス装置から送信される音響信号を受信する音響機器用無線通信装置であって、
受信された音響信号を蓄積する蓄積手段と、
前記無線アクセス装置からの通知信号に従って前記蓄積手段における蓄積時間を制御する制御手段と、
を具備する音響機器用無線通信装置。
【請求項１２】
伝送路の品質を測定する測定手段と、
測定された品質を示す信号を前記無線アクセス装置へ送信する送信手段と、をさらに具備する、
請求項１１記載の音響機器用無線通信装置。
【請求項１３】
音響信号の誤り検出を行う誤り検出手段、をさらに具備し、
前記測定手段は、前記誤り検出手段における検出頻度から伝送路の品質を測定する、
請求項１２記載の音響機器用無線通信装置。
【請求項１４】
前記測定手段は、音響信号のＳＩＮＲを伝送路の品質として測定する、
請求項１２記載の音響機器用無線通信装置。
【請求項１５】
音響信号の誤り検出を行う誤り検出手段と、
前記誤り検出手段において誤りが検出されなかった場合に、音響信号が正常に受信されたことを示す信号を生成する生成手段と、をさらに具備する、
請求項１１記載の音響機器用無線通信装置。
【請求項１６】
音響信号の誤り訂正復号を行う復号手段、をさらに具備する、
請求項１１記載の音響機器用無線通信装置。
【請求項１７】
音響信号をデインターリーブするデインターリーブ手段、をさらに具備する、
請求項１１記載の音響機器用無線通信装置。
【発明の詳細な説明】
【技術分野】
【０００１】
本発明は、無線音響システムに関し、特に、無線ＬＡＮなどによって複数のスピーカに音響信号を無線送信する無線音響システムに関する。
【背景技術】
【０００２】
音響用に複数のスピーカを用いるサラウンドシステムとして、現在、６〜８個のスピーカを用いる５.１ch，６.１ch，７.１chサラウンドシステムがある。今後はさらなる臨場感を求めてより多くのスピーカを用いたサラウンドシステムが開発されることが期待される。このように多くのスピーカを用いる場合には、スピーカの設置の手間やレイアウトの自由度等の観点から、スピーカに対して音響信号を無線伝送することが強く求められる。
【０００３】
無線伝送では、有線による伝送に比べ伝送路状態の変化が激しいため、音響信号が無線伝送されるサラウンドシステムでは、ノイズや音切れが発生しやすくなる。
【０００４】
サラウンドシステムにおいて、このようなノイズの発生や音切れの発生を防ぐために、無線伝送された音響信号の符号誤りをエラー検出・訂正回路により訂正する技術がある（特許文献１参照）。また、この文献では、リアスピーカの音響信号が無線伝送されるのに対し、フロントスピーカの音響信号が有線伝送されることを考慮し、リアスピーカから出力される音響信号とフロントスピーカから出力される音響信号との時間的なズレ（同期ズレ）の発生を防ぐために、リアスピーカ側のエラー検出・訂正回路により音響信号が遅延される遅延時間とほぼ等しい遅延時間だけフロントスピーカの音響信号を遅延させる技術が開示されている。
【特許文献１】特開２００５−３０３９４５号公報
【発明の開示】
【発明が解決しようとする課題】
【０００５】
ここで、伝送路状態が非常に悪化した場合には、誤り訂正によっても音響信号の符号誤りを訂正しきれないことがある。このような場合に対処するために、音響信号が無線伝送されるサラウンドシステムにＡＲＱ（Automatic Repeat reQuest）を適用し、誤りが発生した音響信号を再送することが考えられる。
【０００６】
しかし、音響信号が無線伝送されるサラウンドシステムでは、複数のスピーカの伝送路状態がそれぞれ異なる。よって、ＡＲＱを適用すると、再送が行われるスピーカと再送が行われないスピーカとが混在することがあり、複数のスピーカ間において再送遅延による音響信号の同期ズレが問題となる。
【０００７】
本発明は、かかる点に鑑みてなされたものであり、ＡＲＱが適用されるサラウンドシステム等の無線音響システムにおいて、複数のスピーカから再生出力される音響信号の同期ズレを防止することを目的とする。
【課題を解決するための手段】
【０００８】
本発明の無線音響システムは、音響信号送信側の無線アクセス装置と、音響信号受信側の音響機器用無線通信装置と、を具備する無線音響システムであって、前記無線アクセス装置が、音響信号の前記音響機器用無線通信装置における蓄積時間を設定するとともに、前記音響機器用無線通信装置からの再送要求を検出した場合に初回送信時より短い新たな蓄積時間を設定し、蓄積時間を示す通知信号および音響信号を前記音響機器用無線通信装置へ送信し、前記音響機器用無線通信装置が、受信された音響信号の蓄積時間を前記通知信号に従って制御する構成を採る。
【発明の効果】
【０００９】
本発明によれば、複数のスピーカからなるサラウンドシステム等のような無線音響システムにおいて再送が行われる場合でも、それら複数のスピーカ間において複数の音響信号を同期させて再生出力することができる。
【発明を実施するための最良の形態】
【００１０】
以下、本発明の実施の形態について、図面を参照して説明する。以下に説明する無線音響システムは、音響信号送信側の無線アクセス装置と、音響信号受信側の音響機器用無線通信装置とを備える。音響機器用無線通信装置はスピーカに接続されて使用されるものである。また、以下の実施の形態では、複数のスピーカを用いるサラウンドシステムを想定しているため、１つの無線アクセス装置に対し、音響機器用無線通信装置が接続されたスピーカが複数（Ｎ個）存在する。つまり、以下の実施の形態に係る無線音響システムでは、無線アクセス装置から無線伝送された互いに異なる音響信号が複数のスピーカから同時に再生出力される。
【００１１】
（実施の形態１）
本実施の形態に係る無線音響システムは、図１に示す無線アクセス装置１００と、図２に示す複数の音響機器用無線通信装置２００とを備える。
【００１２】
まず、図１に示す無線アクセス装置１００について説明する。
【００１３】
無線アクセス装置１００は、音響信号の音響機器用無線通信装置２００における蓄積時間を設定するとともに、音響機器用無線通信装置２００からの再送要求を検出した場合に初回送信時より短い新たな蓄積時間を設定する。
【００１４】
まず、音響信号の初回送信時について説明する。初回送信時は、それぞれのスピーカＡ用，スピーカＢ用，…スピーカＮ用の音響信号は多重化されてマルチキャストモードにて、各スピーカに接続されたすべての音響機器用無線通信装置２００へ送信される。
【００１５】
それぞれのスピーカＡ用，スピーカＢ用，…スピーカＮ用の音響信号は、Ａ／Ｄ（アナログ／デジタル変換）部１０１Ａ，１０１Ｂ，…１０１Ｎに入力され、デジタル信号に変換された後、符号化部１０２Ａ，１０２Ｂ，…１０２Ｎで符号化される。符号化部１０２Ａ，１０２Ｂ，…１０２Ｎでの符号化時には、各音響信号に音響機器用無線通信装置２００での誤り検出用のＣＲＣ（Cyclic Redundancy Check）ビットが付加される。
【００１６】
符号化された音響信号は、記憶部１０３で一旦記憶され、その後ＭＵＸ部１０４で多重化される。多重化された音響信号はＩＰパケット化部１０５に入力される。
【００１７】
蓄積時間設定部１０６は、音響信号の音響機器用無線通信装置２００における蓄積時間を設定し、蓄積時間を示す通知信号を生成してＩＰパケット化部１０５に入力する。初回送信時、蓄積時間は複数の音響機器用無線通信装置２００において同一に設定される。
【００１８】
ＩＰパケット化部１０５は、多重化された音響信号と蓄積時間を示す通知信号とをＩＰパケット化し、無線ＬＡＮアクセスポイント部１０７に入力する。初回送信時、ＩＰパケットのＩＰアドレスはマルチキャストモード用に予め設定しておいた各スピーカ共通のＭＡＣアドレスとする。
【００１９】
無線ＬＡＮアクセスポイント部１０７は、ＩＰパケットをアンテナ１０９を介して各音響機器用無線通信装置２００へ無線送信する。初回送信時、無線ＬＡＮアクセスポイント部１０７の送信モードはマルチキャストモードにしておく。
【００２０】
次いで、音響信号の再送時について説明する。再送時は、それぞれのスピーカＡ用，スピーカＢ用，…スピーカＮ用の音響信号は再送要求に従ってそれぞれ個別にユニキャストモードにて各音響機器用無線通信装置２００へ送信される。
【００２１】
再送要求検出部１０８は、無線ＬＡＮアクセスポイント部１０７が音響機器用無線通信装置２００からアンテナ１０９を介してＮＡＣＫ（Negative Acknowledgement）信号を受信した場合、そのＮＡＣＫ信号を検出する。ＮＡＣＫ信号は、音響機器用無線通信装置２００が音響信号を正常に受信できなかった場合に送信する信号であり、その音響信号の再送を無線アクセス装置１００に要求するための信号である。再送要求検出部１０８は、ＮＡＣＫ信号を検出した場合、ＮＡＣＫ信号に記された送信元ＭＡＣアドレスを解析し、どの音響機器用無線通信装置２００からのどのＩＰパケットに対する再送要求かを判断し、判断結果を記憶部１０３および蓄積時間設定部１０６に通知する。また、再送要求検出部１０８は、ＮＡＣＫ信号を検出した場合、蓄積時間設定部１０６に初回送信時より短い新たな蓄積時間を設定させる。
【００２２】
記憶部１０３は、再送要求検出部１０８からの通知に従って、再送すべき音響信号をＩＰパケット化部１０５に入力する。
【００２３】
蓄積時間設定部１０６は、再送要求検出部１０８からの指示に従って、初回送信時より短い新たな蓄積時間を設定し、この新たな蓄積時間を示す通知信号を生成してＩＰパケット化部１０５に入力する。より具体的には、蓄積時間設定部１０６は、音響信号の初回送信時に設定した蓄積時間から、初回送信時からその音響信号の再送時までの時間を引いた時間を新たな蓄積時間として設定する。これにより、音響信号の再送がユニキャストモードにて各音響機器用無線通信装置２００個別に行われる場合でも、複数のスピーカＡ〜Ｎから再生出力される音響信号の再生タイミングを同一にし、複数の音響信号を同期させて再生出力させることができる。
【００２４】
ＩＰパケット化部１０５は、再送される音響信号と新たな蓄積時間を示す通知信号とをＩＰパケット化し、無線ＬＡＮアクセスポイント部１０７に入力する。再送時、ＩＰパケットのＩＰアドレスは、再送要求検出部１０８から通知されたＭＡＣアドレスに設定される。
【００２５】
無線ＬＡＮアクセスポイント部１０７は、ＩＰパケットをアンテナ１０９を介して再送先の音響機器用無線通信装置２００へ無線送信する。再送時、無線ＬＡＮアクセスポイント部１０７の送信モードはユニキャストモードにしておく。
【００２６】
ここで、蓄積時間設定部１０６が初回送信時に設定する蓄積時間は、再送に要する時間を考慮して長めに設定しておくとよい。これにより、複数の音響機器用無線通信装置２００へ同時に再送を行う場合や、同一の音響機器用無線通信装置２００へ複数回再送を行う場合でも、すべてのスピーカから音響信号を同期させて再生出力することができる。ただし、蓄積時間が長くなるに従い遅延時間も大きくなるため、初回送信時の蓄積時間は数msec程度以内に設定するのが望ましい。
【００２７】
次に、図２に示す音響機器用無線通信装置２００について説明する。この音響機器用無線通信装置２００は、スピーカＡ，スピーカＢ，…スピーカＮに各々接続されて使用される。
【００２８】
無線アクセス装置１００から送信された信号は、アンテナ２０１により受信され、切替部２０２を介して受信ＲＦ部２０３に入力され、受信ＲＦ部２０３にてベースバンド帯に周波数変換され、受信ベースバンド部２０４にて復号される。
【００２９】
ＣＲＣ部２０５は、復号結果に対して誤り検出を行う。
【００３０】
ＭＡＣ部２０６は、ＣＲＣ部２０５において誤りが検出されなかった場合は、自装置のＭＡＣアドレスを有するＩＰパケットを復号してＩＰデータ抽出部２０７に入力する。また、ＭＡＣ部２０６は、音響信号が正常に受信されたことを示すＡＣＫ（Acknowledgement）信号を生成し、そのＡＣＫ信号にＭＡＣアドレスを付加して送信ベースバンド部２１３に入力する。
【００３１】
一方、ＣＲＣ部２０５において誤りが検出された場合は、ＭＡＣ部２０６は、音響信号が正常に受信されなかったことを示すＮＡＣＫ信号を生成し、そのＮＡＣＫ信号にＭＡＣアドレスを付加して送信ベースバンド部２１３に入力する。
【００３２】
ＡＣＫ信号またはＮＡＣＫ信号は、送信ベースバンド部２１３で符号化され、送信ＲＦ部２１４で周波数変換された後、切替部２０２を介してアンテナ２０１より無線アクセス装置１００へ送信される。
【００３３】
ＩＰデータ抽出部２０７は、ＩＰパケットからデータ部分を抽出してＤｅ−ＭＵＸ部２０８およびタイミング制御部２１０に入力する。このデータ部分には、音響データおよび蓄積時間を示す通知信号が含まれる。
【００３４】
Ｄｅ−ＭＵＸ部２０８は、ＩＰパケットから自装置宛ての音響データを分離して蓄積部２０９に入力する。なお、Ｄｅ−ＭＵＸ部２０８には、多重化された信号からどの部分を分離すべきかを示すためのスピーカＩＤを予め設定しておく。
【００３５】
蓄積部２０９は、Ｄｅ−ＭＵＸ部２０８から入力された音響データを蓄積する。また、蓄積部２０９は、音響データが入力される度にタイミング制御部２１０に対し蓄積開始タイミングを通知する。
【００３６】
タイミング制御部２１０は、無線アクセス装置１００からの通知信号に従って蓄積部２０９の蓄積時間を制御する。すなわち、タイミング制御部２１０は、音響データの蓄積部２０９から復号部２１１への出力タイミングを制御する。タイミング制御部２１０は、蓄積開始タイミングから通知信号により示された蓄積時間経過後のタイミングを出力タイミングとして設定する。初回送信時の通知信号で通知される初回送信時の蓄積時間はすべての音響機器用無線通信装置２００において同一であるのに対し、再送時の通知信号で通知される再送時の蓄積時間は、初回送信時の蓄積時間から、初回送信時から再送時までの時間を引いた時間であるため、このタイミング制御部２１０での制御により、再送が必要であった音響機器用無線通信装置２００の蓄積部２０９からの出力タイミングと、再送が必要でなかった音響機器用無線通信装置２００の蓄積部２０９からの出力タイミングとを同一にすることができる。
【００３７】
なお、無線アクセス装置１００から音響機器用無線通信装置２００に対して定期的に時刻に関する同期信号を送信し、すべての音響機器用無線通信装置２００での時刻を同期させる場合等は、蓄積時間の代わりに出力タイミング（出力時刻）を直接設定してもよい。
【００３８】
蓄積部２０９から出力された音響データは、復号部２１１で、無線アクセス装置１００の符号化処理に対応した復号処理が施される。
【００３９】
復号された音響信号はＤ／Ａ（デジタル／アナログ変換）部２１２にてアナログ信号に変換され、スピーカから再生出力される。
【００４０】
このように、本実施の形態によれば、複数のスピーカからなるサラウンドシステム等のような無線音響システムにおいて再送が行われる場合でも、それら複数のスピーカ間において複数の音響信号を同期させて再生出力することができる。
【００４１】
（実施の形態２）
本実施の形態に係る無線アクセス装置３００の構成を図３に示す。図３に示すように、無線アクセス装置３００は、実施の形態１（図１）の無線アクセス装置１００に比べ、符号化部１０２Ａ，１０２Ｂ，…１０２Ｎで符号化された音響信号を誤り訂正符号化する誤り訂正符号化部３０１Ａ，３０１Ｂ，…３０１Ｎ、および、音響信号の送信順序を並び替えるインターリーブを行うインターリーブ部３０２をさらに備える。
【００４２】
これに対し、本実施の形態に係る音響機器用無線通信装置４００の構成を図４に示す。図４に示すように、音響機器用無線通信装置４００は、実施の形態２（図２）の音響機器用無線通信装置２００に比べ、インターリーブ部３０２と逆の並べ替え（デインターリーブ）を行うデインターリーブ部４０１、および、誤り訂正符号化部３０１Ａ，３０１Ｂ，…３０１Ｎで誤り訂正符号化された音響データを誤り訂正復号する誤り訂正復号部４０２をさらに備える。
【００４３】
このような構成を採ることにより、本実施の形態によれば、音響信号の誤り耐性を向上させることができる。
【００４４】
（実施の形態３）
本実施の形態に係る無線アクセス装置５００の構成を図５に示す。図５に示すように、無線アクセス装置５００は、実施の形態１（図１）の無線アクセス装置１００に比べ、伝送路品質取得部５０１をさらに備える。
【００４５】
再送要求検出部１０８は、検出したＮＡＣＫ信号を伝送路品質取得部５０１に入力する。
【００４６】
伝送路品質取得部５０１は、ＮＡＣＫ信号の検出頻度から伝送路品質を取得する。ここでは、伝送路品質としてＳＩＮＲ（Signal to Interference plus Noise Ratio）を用いる。伝送路品質取得部５０１は、ＮＡＣＫ信号の検出頻度が高いほどより低いＳＩＮＲを推定し、その頻度が低いほどより高いＳＩＮＲを推定する。このようにして取得されたＳＩＮＲは蓄積時間設定部１０６に入力される。
【００４７】
蓄積時間設定部１０６は、ＳＩＮＲに基づいて蓄積時間の初期値、すなわち、マルチキャストモードでの初回送信時の蓄積時間を設定する。つまり、蓄積時間設定部１０６は、伝送路品質に基づいた蓄積時間を初期設定値とする。
【００４８】
ここで、伝送路品質が低いほど誤り率が高くなって再送要求の頻度も上がることが予想されるため、伝送路品質が低いほど蓄積時間はより長く設定されるのが好ましい。そこで、蓄積時間設定部１０６は、ＳＩＮＲが低いほど初回送信時の蓄積時間をより長く設定する。
【００４９】
なお、伝送路品質取得部５０１は、伝送路品質の取得を、音響機器用無線通信装置での測定結果から行ってもよい。この場合、音響機器用無線通信装置の構成は以下のようになる。
【００５０】
本実施の形態に係る音響機器用無線通信装置６００の構成を図６に示す。図６に示すように、音響機器用無線通信装置６００は、実施の形態２（図２）の音響機器用無線通信装置２００に比べ、伝送路品質測定部６０１をさらに備える。
【００５１】
伝送路品質測定部６０１は、受信ＲＦ部２０３から入力される信号のＳＩＮＲを伝送路品質として測定する。または、伝送路品質測定部６０１は、ＣＲＣ部２０５において誤りが検出された頻度から伝送路品質を測定する。この場合、伝送路品質測定部６０１は、ＣＲＣ部２０５において誤りが検出された頻度が高いほどより低いＳＩＮＲを推定し、その頻度が低いほどより高いＳＩＮＲを推定する。そして、伝送路品質測定部６０１は、このようにして測定した伝送路品質を示す通知信号を送信ベースバンド部２１３に入力する。この通知信号は、送信ベースバンド部２１３で符号化され、送信ＲＦ部２１４で周波数変換された後、切替部２０２を介してアンテナ２０１より無線アクセス装置５００へ送信される。
【００５２】
無線アクセス装置５００では、音響機器用無線通信装置６００からの通知信号を無線ＬＡＮアクセスポイント部１０７がアンテナ１０９を介して受信し、伝送路品質取得部５０１に入力する。
【００５３】
伝送路品質取得部５０１は、この通知信号から伝送路品質を取得する。
【００５４】
このように、本実施の形態によれば、伝送路品質に応じて蓄積時間を設定するため、複数のスピーカから再生出力される音響信号の同期をより安定してとることができる。
【００５５】
なお、無線アクセス装置５００から無線送信される音響信号を受信する音響機器用無線通信装置６００の数が多くなるほど音響信号の同期ズレの量が大きくなると予想されるため、音響機器用無線通信装置６００の数が多くなるほど蓄積時間はより長く設定されるのが好ましい。そこで、蓄積時間設定部１０６は、音響機器用無線通信装置６００の数が多くなるほど初回送信時の蓄積時間をより長く設定するようにしてもよい。
【００５６】
（実施の形態４）
本実施の形態に係る無線アクセス装置７００の構成を図７に示す。また、本実施の形態に係る音響機器用無線通信装置８００の構成を図８に示す。なお、図７，図８において、実施の形態１（図１，図２）と同一の構成部分には同一符号を付し説明を省略する。
【００５７】
無線アクセス装置７００は、それぞれのスピーカＡ用，スピーカＢ用，…スピーカＮ用の音響信号を常にユニキャストモードで送信する。よって、無線アクセス装置７００には、無線アクセス装置１００（図１）が備えていたＭＵＸ部１０４が不要となる。
【００５８】
通信時間測定部７０１は、無線アクセス装置７００と音響機器用無線通信装置８００との通信に要する時間（通信所要時間）を以下のようにして測定する。
【００５９】
通信時間測定部７０１は、ＩＰパケット化部１０５から入力されるＩＰパケットの初回送信時のタイミングで通信時間の測定を開始する。また、通信時間測定部７０１は、無線ＬＡＮアクセスポイント部１０７が音響機器用無線通信装置８００からアンテナ１０９を介してＡＣＫ信号を受信した場合、そのＡＣＫ信号を検出する。そして、通信時間測定部７０１は、各音響機器用無線通信装置８００毎に、初回送信時のタイミングからＡＣＫ信号の受信タイミングまでの時間を通信所要時間として測定し、測定結果を蓄積時間設定部１０６に入力する。
【００６０】
蓄積時間設定部１０６は、通信時間測定部７０１で測定された通信所要時間に基づいて蓄積時間を設定する。通信所要時間が長い音響機器用無線通信装置８００ほど音響信号の復号処理により多くの時間を要していると考えられるため、他の音響機器用無線通信装置８００より通信所要時間が長い音響機器用無線通信装置８００に対して他の音響機器用無線通信装置８００と同じ蓄積時間を設定すると、その音響機器用無線通信装置８００が接続されたスピーカからの再生出力が他のスピーカに比べて遅れてしまう。そこで、蓄積時間設定部１０６は、音響機器用無線通信装置８００間における通信所要時間の差分だけ蓄積時間を短く設定する。
【００６１】
例えば、蓄積時間設定部１０６は、通信所要時間が最も長い音響機器用無線通信装置８００を基準にして、他の音響機器用無線通信装置８００における蓄積時間を、その基準から時間差分だけ短く設定する。
【００６２】
また、例えば、蓄積時間設定部１０６は、通信所要時間が最も短い音響機器用無線通信装置８００を基準にして、他の音響機器用無線通信装置８００における蓄積時間を、その基準から時間差分だけ長く設定する。
【００６３】
また、例えば、蓄積時間設定部１０６は、複数の音響機器用無線通信装置８００における通信所要時間の平均値を基準にしてもよい。
【００６４】
また、例えば、蓄積時間設定部１０６は、測定された通信所要時間の半分を無線アクセス装置７００から音響機器用無線通信装置８００までの処理時間と仮定し、最も長い通信所要時間の半分を基準にして、各音響機器用無線通信装置８００における蓄積時間を、その基準から各通信所要時間の半分の時間差分だけ短く設定する。
【００６５】
なお、通信所要時間が最も長い音響機器用無線通信装置８００においても十分な蓄積時間が得られるように、すべての蓄積時間に同一のマージンを一律に設定してもよい。これにより、さらに安定した無線音響システムを構築することができる。
【００６６】
また、通信時間測定部７０１が、各々の音響機器用無線通信装置８００に対し通信所要時間の測定を複数回行い、その平均値を測定結果とすることで、通信所要時間の測定精度を高めることができる。
【００６７】
また、音響機器用無線通信装置８００での受信処理に複数のモードが存在する場合も想定される。例えば、ターボ復号等のような反復復号の実施の有無などである。受信処理モードが変更されると復号処理に要する時間も大きく変化するため、音響機器用無線通信装置８００は、受信処理モードを変更する場合は、その旨を無線アクセス装置７００へ通知する。無線アクセス装置７００の蓄積時間設定部１０６は、その通知に従って、新たな蓄積時間を設定する。
【００６８】
また、リモートコントローラーに蓄積時間修正ボタンを備え、ユーザーがそのボタンを操作することによりリモートコントローラーからの指示に従って各音響機器用無線通信装置８００にＡＣＫ信号を送信させ、リモートコントローラーが、蓄積時間修正ボタンの操作時からＡＣＫ信号の受信時までの時間を通信所要時間として測定し、上記のようにして蓄積時間を設定してもよい。リモートコントローラーにより設定された蓄積時間は、音響機器用無線通信装置８００に直接通知されてもよく、また、無線アクセス装置７００に通知され、その通知時間に従って蓄積時間設定部１０６が蓄積時間を設定してもよい。また、リモートコントローラーにより蓄積時間を設定する場合、リモートコントローラーから各音響機器用無線通信装置８００に対して、蓄積部２０９での出力タイミングのオフセット量を通知してもよい。このように、ユーザーのマニュアル操作により蓄積時間を変更できるようにすることで、複数のスピーカから再生出力される音響信号の同期ズレを感じたユーザーが任意に同期ズレを修正することができる。
【００６９】
次に、図８に示す音響機器用無線通信装置８００について説明する。
【００７０】
無線アクセス装置７００は、それぞれのスピーカＡ用，スピーカＢ用，…スピーカＮ用の音響信号を常にユニキャストモードで送信するため、図８に示すように、音響機器用無線通信装置８００には、音響機器用無線通信装置２００（図２）が備えていたＤｅ−ＭＵＸ部２０８が不要となる。
【００７１】
このように、本実施の形態によれば、各音響機器用無線通信装置８００毎の通信所要時間に応じて各音響機器用無線通信装置８００の蓄積時間を調節するため、複数の音響信号をさらに精度よく同期再生させることができる。
【００７２】
（実施の形態５）
図９に本実施の形態に係る音響映像システムを示す。
【００７３】
本実施の形態では、無線アクセス装置９０２および映像ディスプレー９０３が音響映像コンテンツ処理装置９０１と有線接続され、スピーカＡ，Ｂが音響機器用無線通信装置９０５Ａ，９０５Ｂを介して無線アクセス装置９０２と無線接続されている。
【００７４】
この場合、映像ディスプレー９０３とスピーカＡ，Ｂとの同期（リップシンク）をとるためには、以下のようにするとよい。
【００７５】
例えば、音響映像コンテンツ処理装置９０１における信号蓄積時間をユーザーがリモートコントローラー９０４を用いて調整できるようにする。このときの調整用信号は、リモートコントローラー９０４から赤外線、超音波、無線等により、音響映像コンテンツ処理装置９０１へ送信される。
【００７６】
また、例えば、スピーカＡ，Ｂ、および、映像ディスプレー９０３において、機器固有（または、音響、映像などの種類固有）の同期調整用信号を電源投入時または周期的に発生させ、リモートコントローラー９０４において、同期調整用信号から機器間の同期誤差を検出して音響映像コンテンツ処理装置９０１に送信し、音響映像コンテンツ処理装置９０１において、その同期誤差に応じて信号蓄積時間を調節してもよい。
【００７７】
また、例えば、音響映像コンテンツ処理装置９０１と映像ディスプレー９０３とを信号蓄積部を有するアクセス装置（図示せず）を介して接続し、映像信号に対する音響信号の遅延時間をアクセス装置において吸収するようにしてもよい。このような構成を採ることで、付加的な構成部分である信号蓄積部を音響映像コンテンツ処理装置９０１が備える必要がなくなるとともに、無線伝送による遅延を把握するのが容易なアクセス装置において
信号蓄積部の蓄積時間を設定することが可能となるため、安価なシステムを提供することができる。
【００７８】
以上、本発明の実施の形態について説明した。
【００７９】
なお、初回送信時の蓄積時間を予め定めた時間によってすべて同一とし各音響機器用無線通信装置に予め設定することにより、初回送信時の蓄積時間を示す通知信号の送信が不要となる。これにより、無線周波数利用効率を高めることができる。
【００８０】
また、上記実施の形態において音響機器用無線通信装置からのＡＣＫ信号がシャドーイングの影響等により無線アクセス装置に受信されないことがある。そこで、音響機器用無線通信装置がＡＣＫ信号を繰り返し送信するようにしてもよい。また、音響機器用無線通信装置がＡＣＫ信号を繰り返し送信するようにした場合、無線アクセス装置によってＡＣＫ信号が受信されないスピーカをユーザーに伝えるインターフェースを無線アクセス装置に備えると、音響信号を遮断している物体をユーザーが判断する際等に便利である。
【００８１】
また、ＡＣＫ信号が返信されないスピーカに対しては、音響信号の受信を可能にするために、ユニキャストモードにて伝送レートを低下させて音響信号を再送するのが有効である。この場合、伝送レートの低下は、変調レベルの低下、符号化率の低下等により行うとよい。
【産業上の利用可能性】
【００８２】
本発明は、アクセス装置と複数のスピーカが無線接続されるサラウンドシステム等に好適である。
【図面の簡単な説明】
【００８３】
【図１】実施の形態１に係る無線アクセス装置の構成図
【図２】実施の形態１に係る音響機器用無線通信装置の構成図
【図３】実施の形態２に係る無線アクセス装置の構成図
【図４】実施の形態２に係る音響機器用無線通信装置の構成図
【図５】実施の形態３に係る無線アクセス装置の構成図
【図６】実施の形態３に係る音響機器用無線通信装置の構成図
【図７】実施の形態４に係る無線アクセス装置の構成図
【図８】実施の形態４に係る音響機器用無線通信装置の構成図
【図９】実施の形態５に係る音響映像システムの構成図
【符号の説明】
【００８４】
１００，３００，５００，７００，９０２  無線アクセス装置
２００，４００，６００，８００，９０５Ａ，９０５Ｂ  音響機器用無線通信装置    
１０１Ａ，１０１Ｂ  Ａ／Ｄ部
１０２Ａ，１０２Ｂ  符号化部
１０３  記憶部
１０４  ＭＵＸ部
１０５  ＩＰパケット化部
１０６  蓄積時間設定部
１０７  無線ＬＡＮアクセスポイント（ＡＰ）部
１０８  再送要求検出部
１０９，２０１  アンテナ
２０２  切替部
２０３  受信ＲＦ部
２０４  受信ベースバンド部
２０５  ＣＲＣ部
２０６  ＭＡＣ部
２０７  ＩＰデータ抽出部
２０８  Ｄｅ−ＭＵＸ部
２０９  蓄積部
２１０  タイミング制御部
２１１  復号部
２１２  Ｄ／Ａ部
２１３  送信ベースバンド部
２１４  送信ＲＦ部
３０１Ａ，３０１Ｂ  誤り訂正符号化部
３０２  インターリーブ部
４０１  デインターリーブ部
４０２  誤り訂正復号部
５０１  伝送路品質取得部
６０１  伝送路品質測定部
７０１  通信時間測定部
９０１  音響映像コンテンツ処理装置
９０３  映像ディスプレー
９０４  リモートコントローラー
【図１】
2007235720.tif 000003
【図２】
2007235720.tif 000004
【図３】
2007235720.tif 000005
【図４】
2007235720.tif 000006
【図５】
2007235720.tif 000007
【図６】
2007235720.tif 000008
【図７】
2007235720.tif 000009
【図８】
2007235720.tif 000010
【図９】
2007235720.tif 000011